(57)【要約】【課題】  三個以上の複数の入賞球の球噛みを確実に防止する。【解決手段】  開放姿勢と閉鎖姿勢との間で回動可能な左右一対の可動片４Ａ，４Ｂを備え、開放姿勢となった一対の可動片４Ａ，４Ｂの間に進入してきた入賞球によって可動片４Ａ，４Ｂが閉鎖姿勢に回動させられるとともに、可動片４Ａ，４Ｂが閉鎖姿勢のときに生じた入賞球によって可動片４Ａ，４Ｂが開放姿勢に回動させられるようにした遊技機の入賞球受口器において、連続して複数進入してきた入賞球の少なくとも一つを、一時的に受け入れ可能な凹所２４を設ける。【選択図】        図４
2006149775.tif 000002
【特許請求の範囲】
【請求項１】
開放姿勢と閉鎖姿勢との間で回動可能な左右一対の可動片を備え、開放姿勢となった前記一対の可動片の間に進入してきた第１の入賞球によって前記可動片が閉鎖姿勢に回動させられるとともに、前記可動片が閉鎖姿勢のときに生じた第２の入賞球によって前記可動片が開放姿勢に回動させられるようにした遊技機の入賞球受口器において、連続して複数進入してきた前記第１の入賞球の少なくとも一つを、一時的に受け入れ可能な凹所を設けたことを特徴とする遊技機の入賞球受口器。
【請求項２】
開放姿勢と閉鎖姿勢との間で回動可能な左右一対の可動片を備え、開放姿勢となった前記一対の可動片の間に進入してきた第１の入賞球によって前記可動片が閉鎖姿勢に回動させられるとともに、前記可動片が閉鎖姿勢のときに生じた第２の入賞球によって前記可動片が開放姿勢に回動させられるようにした遊技機の入賞球受口器において、連続して複数進入してきた前記第１の入賞球のうち最初の入賞球を除く二番目以降の入賞球の少なくとも一つを、他の前記第１の入賞球が前記可動片の間を通過するまで一時的に受け入れ可能な凹所を設けたことを特徴とする遊技機の入賞球受口器。
【請求項３】
前記可動片のうち一方の球受け面に、前記第１の入賞球を前記凹所に向けて案内する案内部を形成した請求項１又は２に記載の遊技機の入賞球受口器。
【請求項４】
前記可動片のうち一方の球受け面に、前記第１の入賞球を前記凹所から遠ざける方向へ案内する案内部を形成した請求項１ないし３に記載の遊技機の入賞球受口器。
【請求項５】
左右の前記可動片の中央と前記凹所の左右幅方向の中央を、互いに左右方向へずらして位置させた請求項１ないし４に記載の遊技機の入賞球受口器。
【請求項６】
前記凹所は複数個の入賞球を受け入れることができる幅に成形され、かつ当該凹所の底面を幅方向で段違いに成形した請求項１ないし５のいずれかに記載の遊技機の入賞球受口器。
【請求項７】
前記凹所は入賞球を略１個分受け入れることができる奥行きに成形されている請求項１ないし６のいずれかに記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放姿勢と閉鎖姿勢の間で回動する可動片を備えた入賞球受口器に関する。
【背景技術】
【０００２】
この種の入賞球受口器には、一対の翼状可動片を備えて、特別遊技状態ではこれら翼状可動片を大きく離間方向へ開いて入賞球を進入させるようにして、受口器への入賞確率が飛躍的に高まるようにしたものがある。このような入賞球受口器において、図９（Ａ）に示すように、開放姿勢の左右の可動片４Ａ，４Ｂの間に遊技球（入賞球）Ｂが進入すると、その荷重を受けて可動片４Ａ，４Ｂは矢印で示すように軸部材４１を中心にやや閉鎖方向へ回動しようとするが、図９（Ｂ）に示すように、三個の入賞球Ｂ１，Ｂ２，Ｂ３が連続して進入した場合に、後から進入した二つの入賞球Ｂ２，Ｂ３が左右の可動片４Ａ，４Ｂの間で互いに当接してブリッジ状態となり、入賞球Ｂ２，Ｂ３が可動片４Ａ，４Ｂの間を通過できない、いわゆる球噛みを生じることがある。なお、特許文献１には可動片の対向する内面を非対称の円弧状に窪ませることにより、連続して進入した二個の入賞球が球噛みを生じないようにした入賞球受口器が示されている。
【特許文献１】実開平７−７６８６号
【発明の開示】
【発明が解決しようとする課題】
【０００３】
そこで、三個ないしそれ以上の入賞球が連続して進入した場合にも球噛みを生じることがない入賞球受口器が求められていた。
【０００４】
本発明はこのような要請に鑑みたもので、三個以上の複数の入賞球の球噛みを確実に防止できる遊技機の入賞球受口器を提供することを目的とする。
【課題を解決するための手段】
【０００５】
上記目的を達成するために、本第１発明では、開放姿勢と閉鎖姿勢との間で回動可能な左右一対の可動片（４Ａ，４Ｂ）を備え、開放姿勢となった一対の可動片（４Ａ，４Ｂ）の間に進入してきた第１の入賞球によって可動片（４Ａ，４Ｂ）が閉鎖姿勢に回動させられるとともに、可動片（４Ａ，４Ｂ）が閉鎖姿勢のときに生じた第２の入賞球によって可動片（４Ａ，４Ｂ）が開放姿勢に回動させられるようにした遊技機の入賞球受口器において、連続して複数進入してきた第１の入賞球の少なくとも一つを、一時的に受け入れ可能な凹所（２４）を設ける。ここで、上記「回動」は、開放姿勢あるいは閉鎖姿勢に回転した後、その状態を維持するものを含む。上記「生じる」とは、入賞球受口器の筐体に形成される入賞口、筐体外の遊技盤面に設けられた入賞口等に遊技球（入賞球）が進入した状態をいう。
【０００６】
本第１発明においては、開放姿勢となった左右一対の可動片の間に連続して複数進入してきた第１の入賞球の少なくとも一つを、凹所内に一時的に受け入れるようにしているから、可動片の間で第１の入賞球がブリッジ状態になることが避けられ、複数の入賞球が球噛みを生じることが防止される。
【０００７】
本第２発明では、開放姿勢と閉鎖姿勢との間で回動可能な左右一対の可動片（４Ａ，４Ｂ）を備え、開放姿勢となった一対の可動片（４Ａ，４Ｂ）の間に進入してきた第１の入賞球によって可動片（４Ａ，４Ｂ）が閉鎖姿勢に回動させられるとともに、可動片（４Ａ，４Ｂ）が閉鎖姿勢のときに生じた第２の入賞球によって可動片（４Ａ，４Ｂ）が開放姿勢に回動させられるようにした遊技機の入賞球受口器において、連続して複数進入してきた第１の入賞球のうち最初の入賞球（Ｂ１）を除く二番目以降の入賞球の少なくとも一つ（Ｂ２又はＢ３）を、他の第１の入賞球（Ｂ３又はＢ２）が可動片（４Ａ，４Ｂ）の間を通過するまで一時的に受け入れ可能な凹所（２４）を設ける。
【０００８】
本第２発明においては、開放姿勢となった複数の可動片の間に連続して複数進入してきた第１の入賞球のうち最初の入賞球を除く二番目以降の入賞球の少なくとも一つを、他の第１の遊技球が可動片の間を通過するまで凹所内に受け入れるようにしているから、可動片の間で第１の入賞球がブリッジ状態になることが避けられ、複数の入賞球が球噛みを生じることが防止される。
【０００９】
本第３発明では、可動片のうち一方（４Ｂ）の球受け面（４２）に、第１の入賞球を凹所（２４）に向けて案内する案内部（４２１）を形成する。本第３発明においては、第１の入賞球が案内部によって速やかに凹所内に案内されてこれに受け入れられる結果、可動片の間で第１の入賞球がブリッジ状態になることが避けられて球噛みの発生がさらに有効に防止される。
【００１０】
本第４発明では、可動片のうち一方（４Ａ）の球受け面（４２）に、第１の入賞球を凹所（２４）から遠ざける方向へ案内する案内部（４２２）を形成する。本第４発明においては、第１の入賞球のうち案内部に位置しない側の入賞球から優先的に凹所内に受け入れられるから、可動片の間で第１の入賞球がブリッジ状態になることが避けられて球噛みの発生がさらに有効に防止される。
【００１１】
本第５発明では、左右の可動片（４Ａ，４Ｂ）の中央と凹所（２４）の左右幅方向の中央を、互いに左右方向へずらして位置させる。本第５発明においては、可動片の間に進入した入賞球のうち、凹所が大きく開口する側の入賞球から優先して速やかに凹所内に受け入れられるから、可動片の間で第１の入賞球がブリッジ状態になることが避けられて球噛みの発生がさらに有効に防止される。
【００１２】
本第６発明では、凹所（２４）は複数個の入賞球を受け入れることができる幅に成形され、かつ当該凹所の底面を幅方向で段違いに成形する。本第６発明においては、凹所内に受け入れられた複数の入賞球が水平方向でのバランスを崩しながら一対の可動片の間に向けて流下していくので、凹所内からの流出過程においてブリッジ状態となることが避けられる。
【００１３】
本第７発明では、凹所は遊技球を略１個分受け入れることができる奥行きに成形されている。本第７発明においては、凹所内に受け入れられた第１の入賞球から、一対の可動片の間に向けて流下していく他の第１の入賞球に対して押圧力が作用しないから、可動片の間で上記他の第１の入賞球がブリッジ状態になることが避けられる。
【００１４】
本第８発明では、可動片の一方（４Ｂ）に近い側の凹所（２４）の開口縁（２４２）を、第１の入賞球を凹所（２４）内へ案内するように当該凹所（２４）内へ向けて傾斜させる。本第８発明においては、第１の入賞球が凹所内へ円滑に進入させられる。
【００１５】
本第９発明では、凹所の底面を、受け入れた第１の入賞球を可動片（４Ａ，４Ｂ）の間に向けて戻すように傾斜させる。本第９発明においては、他の第１の入賞球が可動片の間を通過した後に、凹所内に受け入れられた他の第１の入賞球が速やかに可動片の間に戻されてこれを通過する。
【００１６】
本第１０発明では、略中間部を軸支されて傾動するように筐体（２）内に配設され、前端部（３２）の上昇移動に伴って可動片（４Ａ，４Ｂ）を開放姿勢に移動させるとともに前端部（３２）の下降移動に伴って可動片（４Ａ，４Ｂ）を閉鎖姿勢に移動させる操作部材（３）を備え、操作部材（３）は、可動片（４Ａ，４Ｂ）が開放姿勢のときに進入してきた第１の入賞球が前端部（３２）側に当接したときの荷重によって当該前端部（３２）が下降移動させられるとともに、可動片（４Ａ，４Ｂ）が閉鎖姿勢のときに操作部材（３）の後端部（３３）側に進入してきた第２の入賞球が後端部（３１）側に当接したときの荷重によって前端部（３２）が上昇移動させられるものであり、かつ上昇姿勢で凹所（２４）に臨んでその底面を構成する前端部（３２）に、凹所（２４）内に受け入れた第１の入賞球を可動片（４Ａ，４Ｂ）の間に向けて戻すような傾斜面（３２ａ）を形成する。本第１０発明においては、本第９発明における作用効果を操作部材の前端部に形成した傾斜面によって得ることができる。
【００１７】
なお、上記カッコ内の符号は、後述する実施形態に記載の具体的手段との対応関係を示すものである。
【発明の効果】
【００１８】
以上のように、本発明の遊技機の入賞球受口器によれば、開放姿勢になった可動片での三個以上の入賞球の球噛みを確実に防止することができる。このような本発明は、入賞球を利用して可動片の開放・閉鎖動作を機械的に行う入賞球受口器に好適に使用できるものである。
【発明を実施するための最良の形態】
【００１９】
（第１実施形態）
図１には入賞球受口器を正面側見た斜視図を示す。入賞球受口器１の筐体２は、後述する操作部材を収納した容器部２１と、その前面に装着されたカバー部２２とを備えており、カバー部２２と容器部２１の前壁２１１との間に翼状の一対の可動片４Ａ，４Ｂが設けられている（一方のみ示す）。カバー部２２は容器部２１の前壁２１１に接する底壁２２１と、底壁２２１から立ち上がる前壁２２２を備えた断面Ｌ字状のもので、前壁２２２は上記前壁２１１よりも狭幅の所定形状に成形されて、前壁２１１に対して一定間隔を保って略平行に延びている。
【００２０】
前壁２２２には上下方向の中間の左右位置に、前壁２１１に向けて突出する一対の軸体４１が設けられて、これら各軸体４１にそれぞれ図２に示すように左右一対の各可動片４Ａ，４Ｂの基端部４４が嵌装されて回動可能となっている。前後の前壁２１１，２２２の間に位置させられた各可動片４Ａ，４Ｂは、外側面４３が膨出する曲面状に成形された略三角形状をしており、図１、図２に示す閉鎖状態では、球受面４２を略平行に対向させて起立姿勢となっている。閉鎖状態の左右の可動片４Ａ，４Ｂの上方の前壁２１１には入賞球進入口２１２が開口しており（図２）、この開口２１２は、カバー部２２の上端部裏面に突設された球受けガイド部２２３（図１）内に臨んで、当該ガイド部２２３により形成された上方へ開放する入賞口２３へ連通している。
【００２１】
図３には入賞球受口器１を後方から見た垂直断面斜視図を示す。図３において、操作部材３は前後方向へ延びる板体で、容器部２１内の上下方向中間位置に配設されている。操作部材３はその長手方向の略中央で、容器部２１の左右の側壁間に架設された軸体３１によって傾動可能に支持されている。操作部材３が図３に示す傾倒状態にある場合には、その前端部３２は下降位置にあって可動片４Ａ，４Ｂ（一方のみ示す）の基端部４４に当接して、これらを自重に抗して起立させ閉鎖姿勢に回動させている。入賞口２３に入った遊技球（第２の入賞球）Ｂはガイド部２２３を経て入賞球進入口２１２から、容器部２１内に形成された樋部２１３に至り、その先端から操作部材３上に落下する。
【００２２】
操作部材３は遊技球Ｂの荷重によってその後端部３３が下降されられると同時に前端部３２が上昇させられて傾斜状態となる。前端部３２が上昇すると可動片４Ａ，４Ｂの基端部４４への当接が解消される結果、可動片４Ａ，４Ｂは互いに離間する方向へ傾倒して開放姿勢となる（図４の状態）。ここで、上記樋部２１３（図３）の長さは、その先端から落下する入賞球Ｂが確実に軸体３１の直上からその後方の操作部材３上に落下するように設定されている。このように設定することで、入賞口２３から連続して流下してきた遊技球Ｂが、流下する順に速やかに後端部３３を通じて排出されるので、操作部材３上に複数個（例えば３個）の遊技球Ｂが滞在して、操作部材３を平衡状態につり合わせてしまうことを防止することができる。なお、操作部材３の前端部３２には前方へ下り傾斜する傾斜面３２ａが形成されており、また上記前端部３２の上面には斜め後方へ突出するストッパ壁３４が形成されている。
【００２３】
操作部材３の後端部３３には下方へ露出させて幅方向へ延びる磁石体３５が嵌着されている。また、上記後端部３３の下方には容器部２１の側壁間に金属製棒体２１４が架設されて、傾斜状態の操作部材３の上記磁石体３５が上記棒体２１４に吸着して、傾斜状態が確実に維持されるようになっている。操作部材３の前半部下面からは下方へ当接部３６が突出している。当接部３６は下端が前方へ屈曲し、下端部３６１は前方へ漸次狭幅になっている。
【００２４】
左右の可動片４Ａ，４Ｂは開放姿勢では図４に示すように互いに離間方向へ傾倒しており、各可動片４Ａ，４Ｂの球受け面４２は上方を向いている。ここで、本実施形態では容器部２１の前壁２１１に横長の凹所２４が形成されて、その開口２４１が、傾倒した可動片４Ａ，４Ｂの間に臨むように位置している。凹所２４は、上記開口２４１の左右縁から容器部２１内へ延出させられた側壁２４３，２４６（図５）と、これらの間に位置する操作部材３の前端部３２およびストッパ壁３４（図３）とで区画形成されており、その開口幅は図５に示すように、入賞球Ｂの２個分の外径よりも大きく、奥行きは入賞球Ｂを１個分は受け入れられる大きさとなっている。また、凹所２４の底面２４４，２４５（図４）は一方の底面２４５が他方の底面２４４よりも低い段違いになっており、かつ、これら底面２４４，２４５は、可動片４Ａ，４Ｂ側に向けて下り傾斜している。これにより、入賞球Ｂが可動片４Ａ，４Ｂの間を通過した後に、凹所２４内にある他の入賞球Ｂが速やかに可動片４Ａ，４Ｂの間に戻される。ここで、凹所２４の開口中央（線ｇ）は、左右の可動片４Ａ，４Ｂの中央（線ｈ）と一致させてあり、これにより、外観意匠にまとまり感が付与されている。さらに、可動片４Ｂに近い側の凹所２４の開口縁２４２は、図４に示すように、凹所２４内へ向けて傾斜させてある。また、可動片４Ａの球受け面４２には外側縁に沿って、内方の上記凹所２４へ向けて傾斜する案内面４２１が形成されており（図６）、さらに、可動片４Ａ，４Ｂの各基部に形成された球受け用凹陥部４２３，４２４は、一方４２３が他方４２４よりも大きくしてあって、両可動片４Ａ，４Ｂは互いに非対称形となっている。これにより、可動片４Ａ，４Ｂ間を通過する直前に凹陥部４２３，４２４内に進入した入賞球Ｂが可動片４Ａ，４Ｂ間の中央位置で平衡状態となって滞ることが防止されるとともに、重量に相違が生じることにより入賞球Ｂが左右の可動片４Ａ，４Ｂの間を通過する際の、これら可動片４Ａ，４Ｂの閉じるタイミングがずれることにより、この際の入賞球Ｂの滞留も回避される。
【００２５】
このような構造の入賞球受口器１において、既に従来技術で説明したように（図９（Ａ）参照）開放姿勢の左右の可動片４Ａ，４Ｂの間に遊技球（第１の入賞球）Ｂが進入すると、その荷重を受けて可動片４Ａ，４Ｂは矢印で示すように軸部材４１を中心にやや閉鎖方向へ回動しようとする。ここで、三個の入賞球Ｂ１，Ｂ２，Ｂ３（図９（Ｂ）参照）が連続して進入した場合、従来は、後から進入した二つの遊技球Ｂ２，Ｂ３が左右の可動片４Ａ，４Ｂの間で互いに当接してブリッジ状態となり球噛みを生じる。ここにおいて本実施形態では、可動片４Ａの球受け面４２に形成された案内面４２１により、これに接する入賞球Ｂ２が凹所２４内へ速やかに案内されてここに一時的に受け入れられる。また、傾斜した開口縁２４２（図４、図５）によって、可動片４Ｂの球受け面４２上にある入賞球Ｂ３も凹所２４内へ速やかに案内されてここに一時的に受け入れられる。これにより、左右の可動片４Ａ，４Ｂの間に二つの入賞球Ｂ２，Ｂ３がブリッジ状に並んで球噛み状態となることが防止される。なお、凹所２４の底面２４４，２４５は上述のように段違いになっているから、凹所２４内に受け入れられた入賞球Ｂ２，Ｂ３が水平方向で平衡してブリッジ状態となることが防止される。
【００２６】
最初に進入してきた入賞球Ｂ１が可動片４Ａ，４Ｂの間を通過すると、凹所２４内の低い側の底面２４４上にある二つ目の入賞球Ｂ２が操作部材前端部３２の傾斜面３２ａによって凹所２４外へ転出させられて速やかに可動片４Ａ，４Ｂ間を下方へ通過する。二つ目の入賞球Ｂ２が可動片４Ａ，４Ｂの間を通過した後、凹所２４内に残っていた遊技球Ｂ３が凹所２４内から左右の可動片４Ａ，４Ｂの間へ転出させられて、これらの間を速やかに下方へ通過する。このようにして、入賞球Ｂ１〜Ｂ３の三個噛みが確実に回避される。操作部材３は、可動片４Ａ，４Ｂの間を通過した入賞球Ｂ１〜Ｂ３が当接部３６の下端部３６１に当接した際の荷重によってその前端部３２が下降させられ、これに伴って左右の可動片４Ａ，４Ｂが起立した閉鎖姿勢に回動させられる。なお、可動片４Ａ側から入賞する入賞球Ｂ２に続いて、可動片４Ａ側から入賞する入賞球Ｂ２２がある場合には、入賞球Ｂ２が凹所２４に入り込んで、入賞球Ｂ２２が可動片４Ａ，４Ｂの間を通過するのを待ってから入賞することになる。可動片４Ｂ側から入賞する入賞球Ｂ３に続く入賞球Ｂ３３がある場合も同様である。
【００２７】
なお、本実施形態では、凹所２４に入賞球２個を受け入れることが可能な幅及び奥行きに形成しているので、３個の入賞球の球噛みはもちろん、凹所２４に入賞球を２個受け入れた場合には４個の入賞球の球噛みも確実に防止することができる。
【００２８】
（第２実施形態）
本実施形態では図７に示すように凹所２４の開口幅は入賞球１個の外径よりもやや大きい程度で、入賞球２個分の外径より小さくしてある。そして凹所２４は、その中央（線ｇ）が、左右の可動片４Ａ，４Ｂの中央（線ｈ）に対して可動片４Ｂ寄りに一定量ｄだけずらして形成してある。また、可動片４Ａにはその内側縁に沿って、内方の上記凹所２４に対して反対側の外方へ向けて傾斜する案内面４２２が形成されており、一方、可動片４Ｂにはその外側縁に沿って、内方の上記凹所２４に向けて傾斜する案内面４２１が形成されている。
【００２９】
本実施形態において、三個の入賞球Ｂ１，Ｂ２，Ｂ３（図９（Ｂ）参照）が連続して進入した場合、可動片４Ａの球受け面４２に形成された案内面４２２により、可動片４Ａ上の入賞球Ｂ２は凹所２４から遠ざけられる方向へ案内され、一方、可動片４Ｂの球受け面４２に形成された案内面４２１により、可動片４Ｂ上の入賞球Ｂ３は凹所２４に向かう方向へ案内される。これにより、入賞球Ｂ２，Ｂ３が互いに干渉することなく、入賞球Ｂ３のみが円滑に凹所２４内に受け入れられる。この結果、左右の可動片４Ａ，４Ｂの間に二つの入賞球Ｂ２，Ｂ３がブリッジ状に並んで球噛み状態となることが防止される。
【００３０】
（第３実施形態）
図８には、いわゆる回転式の入賞球受口器に本発明を適用した例を示す。筐体２の容器部２１内に配設された回転軸５１には、外周に９０度間隔で球接触片５２が突設されるとともに、外周の対称位置には羽根制御片５３が突設されて、回転体５を構成している。球接触片５２にはバネ付勢された制動片６の先端が弾接して、回転軸５の回転を９０度毎に規制している。羽根制御片５３が左右の可動片４Ａ，４Ｂ（一方のみ示す）の基部に設けた突片４５に当接した状態では、各可動片４Ａ，４Ｂは自重に抗して起立状態に保持されて閉鎖姿勢となっている。入賞球Ｂを一時的に受け入れる凹所２３は本実施形態では回転体５の上方に設けられており、容器部２１の頂壁２１５と容器部２１内に形成された隔壁２１６，２１７によって区画されて可動片４Ａ，４Ｂの方向へ開口している。
【００３１】
閉鎖姿勢の左右の可動片４Ａ，４Ｂの間に遊技球（第２の入賞球）Ｂが進入し、これらの間を通過して落下途中で球接触片５２に当接すると、回転軸５１が図８の反時計方向へ９０度回転して羽根制御片５３と突片４５の当接状態が外れ、可動片４Ａ，４Ｂは自重で傾倒させられて開放姿勢になる。開放姿勢の左右の可動片４Ａ，４Ｂの間に遊技球（第１の入賞球）Ｂが進入し、これらの間を通過して落下途中で球接触片５２に当接すると、回転軸５１が図８の時計方向へさらに９０度回転して羽根制御片５３と突片４５が当接し、可動片４Ａ，４Ｂは自重による傾倒が規制されて起立した閉鎖姿勢になる。
【００３２】
ここで、可動片４Ａ，４Ｂが開放姿勢にあるときに三個の遊技球（第１の入賞球）Ｂ１，Ｂ２，Ｂ３（図９（Ｂ）参照）が連続して進入した場合には、上記各実施形態と同様に、入賞球Ｂ２，Ｂ３あるいは入賞球Ｂ３が凹所２４内に一時的に受け入れられる結果、左右の可動片４Ａ，４Ｂの間に二つの入賞球Ｂ２，Ｂ３がブリッジ状に並んで球噛み状態となることが避けられる。
【００３３】
（他の実施形態）
上記各実施形態では入賞球のいわゆる三個噛みの防止に本発明を適用した場合について説明したが、本発明は三個噛み、四個噛みに限られず、五個以上の複数個の球噛みの防止に適用することができる。この場合、凹所の開口幅は三個以上の入賞球を受け入れることができる大きさとすることができる。上記実施形態ではシーソー状に傾動する操作部材あるいは回転体によって可動片を開閉操作する構造の入賞球受口器に本発明を適用した場合について説明したが、これ以外の構造で可動片を開閉操作するようにした入賞球受口器にも本発明を適用できることはもちろんである。
【図面の簡単な説明】
【００３４】
【図１】本発明の第１実施形態における、可動片が閉鎖姿勢にある状態での入賞球受口器を前方から見た斜視図である。
【図２】可動片が閉鎖姿勢にある状態でカバー部を取り去って入賞球受口器を前方から見た斜視図である。
【図３】可動片が閉鎖姿勢にある状態での入賞球受口器の垂直断面斜視図である。
【図４】可動片が開放姿勢にある状態でカバー部を取り去って入賞球受口器を前方から見た斜視図である。
【図５】可動片が開放姿勢にある状態での凹所の概略水平断面図である。
【図６】可動片が開放姿勢にある状態で入賞球受口器を上方から見た要部斜視図である。
【図７】本発明の第２実施形態における、可動片が開放姿勢にある状態で入賞球受口器を上方から見た要部斜視図である。
【図８】本発明の第３実施形態における、入賞球受口器の垂直断面図である。
【図９】従来例を示す、開放姿勢にある可動片の概略正面図である。
【符号の説明】
【００３５】
１…入賞球受口器、２…筐体、２４…凹所、２４２…開口縁、３…操作部材、３２…前端部、３２ａ…傾斜面、３４…前端部、４Ａ，４Ｂ…可動片、４２…球受け面、４２１，４２２…案内面、４４…基端部、５…案内部材、Ｂ，Ｂ１，Ｂ２，Ｂ３…入賞球。
【図１】
2006149775.tif 000003
【図２】
2006149775.tif 000004
【図３】
2006149775.tif 000005
【図４】
2006149775.tif 000006
【図５】
2006149775.tif 000007
【図６】
2006149775.tif 000008
【図７】
2006149775.tif 000009
【図８】
2006149775.tif 000010
【図９】
2006149775.tif 000011